(57)【要約】      （修正有）【課題】ディスプレイ・ケース内の製品を見せることができ、追加広告材料も表示することができる透過型のＬＣＤを提供する。【解決手段】液晶ディスプレイ(LCD)アセンブリは、ガラス・パネル２０５と、ガラス・パネルの前に置かれたＬＣＤパネル２３０とを有する。光ガイド２２０は、ＬＣＤパネルとガラス・パネルとの間に置かれ、複数のＬＥＤ２７６を含む基板２４６は、光ガイドの端に隣接される。熱プレート２１６は、基板及びガラス・パネルの両者に取り付けられる。熱プレートは、互いに実質的に垂直である２つの部分を含み、その１つの部分は、ガラス・パネルと実質的に平行である。また、ディスプレイ・ケース・ドアの開閉を追跡するシステムが提供され、ドアが開く又は閉じる時に表示された映像／画像のデータを識別することができる。【選択図】図７
2019066874.tif 000002
【特許請求の範囲】
【請求項１】
透過型のＬＣＤ（液晶ディスプレイ: liquid crystal display）アセンブリであって、
ガラス・パネルと、
前記ガラス・パネルの前に置かれるＬＣＤパネルと、
前記ＬＣＤパネルと前記ガラス・パネルとの間に位置し、且つ端を有する光ガイドと、
前記光ガイドの前記端に隣接する複数のＬＥＤを含む基板と、
前記ガラス・パネル及び前記基板に取り付けられ、且つ、前記ガラス・パネル及び前記基板と熱伝導する熱プレートであって、前記熱プレートは、前記ガラス・パネルに取り付けられる第１の部分と、前記基板に取り付けられる第２の部分と、を有し、前記第１の部分は、前記第２の部分と実質的に垂直である、前記熱プレートと、
を備える透過型のＬＣＤアセンブリ。
【請求項２】
請求項１に記載の透過型のＬＣＤアセンブリであって、
ＬＣＤと電気的に通信可能に配置され、且つ前記熱プレートに取り付けられた、前記ＬＣＤを作動させる電子的な構成要素を、
更に備える透過型のＬＣＤアセンブリ。
【請求項３】
透過型の電子ディスプレイ・アセンブリであって、
前部透過パネルと、
背部透過パネルと、
前記前部透過パネルと前記背部透過パネルとの間に延びて、空間を規定するスペーサと、
前記空間内に置かれる電子ディスプレイと、
前記電子ディスプレイの背後であって前記空間内に位置し、且つ頂部及び底部を有する光ガイドと、
前記光ガイドの前記頂部に隣接し、且つ第１の複数の光素子を含む第１の基板と、
前記背部透過パネル及び前記第１の基板に取り付けられた頂部熱プレートと、
前記光ガイドの前記底部に隣接し、且つ第２の複数の光素子を含む第２の基板と、
前記背部透過パネル及び前記第２の基板に取り付けられた底部熱プレートと、
を備える透過型の電子ディスプレイ・アセンブリ。
【請求項４】
請求項３に記載の透過型の電子ディスプレイ・アセンブリであって、
前記頂部熱プレート及び前記底部熱プレートは、各々、
前記背部透過パネルと実質的に平行な第１の部分と、
個々の前記第１の部分と実質的に垂直である第２の部分と、
を含む、透過型の電子ディスプレイ・アセンブリ。
【請求項５】
請求項３に記載の透過型の電子ディスプレイ・アセンブリであって、
前記スペーサは、前記前部透過パネルと前記背部透過パネルとの間でガス・シールを提供する、透過型の電子ディスプレイ・アセンブリ。
【請求項６】
請求項３に記載の透過型の電子ディスプレイ・アセンブリであって、
前記電子ディスプレイは、液晶ディスプレイであり、
前記前部透過パネルは、ガラスからなり、
前記背部透過パネルは、ガラスからなる、透過型の電子ディスプレイ・アセンブリ。
【発明の詳細な説明】
【技術分野】
【０００１】
（関連出願の相互参照）
[0001] 本出願は、2014年6月16日付け出願の米国仮特許出願第62/012,785号の優先権を主張し、その参照により、その全体を取り込むものである。また、本出願は、2014年6月16日付け出願の米国仮特許出願第62/012,559号の優先権を主張し、その参照により、その全体を取り込むものである。本出願は、2014年6月16日付け出願の米国仮特許出願第62/012,572号の優先権を主張し、その参照により、その全体を取り込むものである。本出願は、2014年6月18日付け出願の米国仮特許出願第62/013,917号の優先権を主張し、その参照により、その全体を取り込むものである。本出願は、2014年6月17日付け出願の米国仮特許出願第62/013,225号の優先権を主張し、その参照により、その全体を取り込むものである。
【０００２】
（技術分野）
[0002] 実施形態は、概して、透過型の電子ディスプレイ（ＬＣＤ）及び従来のＬＣＤを冷却するためのシステムに関する。
【背景技術】
【０００３】
（技術背景）
[0003] ディスプレイ・ケースは、非常に多くの異なる小売店で利用されて、販売中の製品を説明することができる。幾つかの例において、これらのディスプレイ・ケースは、冷蔵庫又は冷凍庫であってもよく、食料品店、コンビニエンスストア、ガソリンスタンド、レストラン、又はその他の小売店に設置されている。他の例において、これらのディスプレイ・ケースは、宝石店、時計店、パン屋、デリショプ、骨董店、スポーツ用品店、電気店、又は、その他の小売店で使用される非冷凍の透明容器であってもよい。商品それ自身のデザイン及び外観が販売時点（ＰＯＳ:point-of-sale）広告を提供しているとしても、ＰＯＳでの追加広告は、製品の認識を増加させることができ、結果として、追加の販売を生み出すことができることが分かっている。
【０００４】
[0004] 多くの小売店は、既に幾つかのＰＯＳ広告を含み、また、店舗のタイプに依存して、経営者は、小売地域内の「混乱」を制限することを望む場合があり、これにより、追加広告の場所を非常に制限することができる。ディスプレイ・ケース内に典型的には配置される透明ガラスを追加広告と一緒に利用することが現在望まれている。特に注意すべきことは、ディスプレイ・ケースの内部の製品を顧客に見せることが維持できるように、透明ガラスと一緒に透過型のＬＣＤを配置し、且つ透過型のＬＣＤは、追加広告材料を表示することができるものと考えられていた。
【発明の概要】
【課題を解決するための手段】
【０００５】
（典型的な実施形態の概要）
[0005] 典型的な実施形態により、透過型のＬＣＤアセンブリ用の冷却システムが提供される。ＬＥＤは、好ましくは、２方向光ガイドの頂部の端及び底部の端と一緒に配置され、２方向光ガイドは、その光ガイドの前部及び背部の両方の表面から光を出すことができる。頂部ＬＥＤは、好ましくは、頂部熱プレートと熱伝導するように配置されて、頂部熱プレートは、好ましくは、背部ガラスと熱伝導するように配置されている。同様に、底部ＬＥＤは、好ましくは、底部熱プレートと熱伝導するように配置されて、底部熱プレートは、好ましくは、背部ガラスと熱伝導するように配置されている。頂部熱プレート及び底部熱プレートは、熱を拡散し、背部ガラスに熱を伝えることができ、背部ガラスでは、強制又は自然の対流によって熱を取り除くことができる。幾つかの実施形態において、光ガイドは、ＬＣＤと平行に移動することができるが、光ガイドは、好ましくは光ガイドを挟む背部ブラケットの前部によって、ＬＣＤに向かう又はＬＣＤから離れる移動は制限されている。
【０００６】
[0006] 典型的な実施形態により、ディスプレイ・ケースの使用を追跡し、分析するシステムが提供される。典型的なディスプレイ・ケースは、インターネット又は携帯電話回線への接続部とともに、ＣＰＵ及びドア・センサを含んでいる。また、幾つかのディスプレイ・ケースは、温度センサを含むことができる。ドアが開く時に、現在示されている画像／映像の識別子が好ましくはＣＰＵに、ドアが開いた日及び時刻と一緒に記憶される。このデータは、収集されて、インターネット／電話のネットワークを経由して、ＣＰＵを備えるオペレーション・センタに送信される。このように、データを分析することで、ディスプレイ・ケースを介したトラフィックを決定するとともに、現在示されている画像／映像の有効性を決定することができる。本明細書で説明されるシステム及び方法を利用することで、エネルギー効率及び広告有効性を高めることができる。
【０００７】
[第１態様]
透過型のＬＣＤ（液晶ディスプレイ: liquid crystal display）アセンブリであって、
ガラス・パネルと、
前記ガラス・パネルの前に置かれるＬＣＤパネルと、
前記ＬＣＤパネルと前記ガラス・パネルとの間に位置し、且つ端を有する光ガイドと、
前記光ガイドの前記端に隣接する複数のＬＥＤを含む基板と、
前記ガラス・パネル及び前記基板に取り付けられた熱プレートと、
を備える透過型のＬＣＤアセンブリ。
[第２態様]
第１態様に記載の透過型のＬＣＤアセンブリであって、
前記熱プレートは、前記ガラス・パネル及び前記基板と熱伝導する、透過型のＬＣＤアセンブリ。
[第３態様]
第１態様に記載の透過型のＬＣＤアセンブリであって、
前記熱プレートは、前記ガラス・パネルに取り付けられる第１の部分と、前記基板に取り付けられる第２の部分と、を有し、前記第１の部分は、前記第２の部分と実質的に垂直である、透過型のＬＣＤアセンブリ。
[第４態様]
第１態様に記載の透過型のＬＣＤアセンブリであって、
前記ＬＣＤと電気的に通信可能に配置され、且つ前記熱プレートに取り付けられた、前記ＬＣＤを作動させる電子的な構成要素を、
更に備える透過型のＬＣＤアセンブリ。
[第５態様]
第１態様に記載の透過型のＬＣＤアセンブリであって、
前記光ガイドの前部の表面に接触する前部ブラケットと、
前記光ガイドの背部の表面に接触する背部ブラケットと、
を更に備える透過型のＬＣＤアセンブリ。
[第６態様]
第１態様に記載の透過型のＬＣＤアセンブリであって、
前記光ガイドは、２方向光ガイドである、透過型のＬＣＤアセンブリ。
[第７態様]
第１態様に記載の透過型のＬＣＤアセンブリであって、
前記光ガイドは、意図されたビューアに向かう又はビューアから離れる移動は制限されているが、垂直方向に移動可能である、透過型のＬＣＤアセンブリ。
[第８態様]
透過型のＬＣＤアセンブリであって、
背部ガラス・パネルと、
前記背部ガラス・パネルの前に置かれるＬＣＤパネルと、
前記ＬＣＤパネルの近くに位置する、複数のＬＥＤを含むＰＣＢ（プリント回路基板: printed circuit board）と、
前記ＰＣＢに取り付けられた第１の部分と、前記背部ガラス・パネルに取り付けられる第２の部分と、を有する熱パネルと、
を備える透過型のＬＣＤアセンブリ。
[第９態様]
第８態様に記載の透過型のＬＣＤアセンブリであって、
前記熱パネルの前記第１の部分は、前記第２の部分と実質的に垂直である、透過型のＬＣＤアセンブリ。
[第１０態様]
第８態様に記載の透過型のＬＣＤアセンブリであって、
前記熱パネルの前記第２の部分は、前記背部ガラス・パネルと実質的に平行であり、前記熱パネルの前記第１の部分は、前記第２の部分と実質的に垂直である、透過型のＬＣＤアセンブリ。
[第１１態様]
透過型のＬＣＤ（液晶ディスプレイ: liquid crystal display）アセンブリであって、
前部ガラス・パネルと、
背部ガラス・パネルと、
前記前部ガラス・パネルと前記背部ガラス・パネルとの間で挟まれて、空間を規定するスペーサと、
前記空間内に置かれるＬＣＤパネルと、
前記ＬＣＤパネルの背後であって前記空間内に位置し、且つ頂部及び底部を有する光ガイドと、
前記光ガイドの前記頂部に隣接し、且つ複数のＬＥＤを含む第１の基板と、
前記背部ガラス・パネル及び前記第１の基板に取り付けられた頂部熱プレートと、
前記光ガイドの前記底部に隣接し、且つ複数のＬＥＤを含む第２の基板と、
前記背部ガラス・パネル及び前記第２の基板に取り付けられた底部熱プレートと、
を備える透過型のＬＣＤアセンブリ。
[第１２態様]
第１１態様に記載の透過型のＬＣＤアセンブリであって、
前記頂部熱プレート及び前記底部熱プレートは、前記ＬＣＤパネルと実質的に同じ幅である、透過型のＬＣＤアセンブリ。
[第１３態様]
第１１態様に記載の透過型のＬＣＤアセンブリであって、
前記頂部熱プレート及び前記底部熱プレートは、各々、
前記背部ガラス・パネルと実質的に平行な第１の部分と、
前記第１の部分と実質的に垂直である第２の部分と、
を含む、透過型のＬＣＤアセンブリ。
[第１４態様]
第１１態様に記載の透過型のＬＣＤアセンブリであって、
前記スペーサは、前記前部ガラス・パネルと前記背部ガラス・パネルとの間でガス・シールを提供する、透過型のＬＣＤアセンブリ。
[第１５態様]
シールされた透過型のＬＣＤ（液晶ディスプレイ: liquid crystal display）アセンブリであって、
前部ガラス・パネルと、
背部ガラス・パネルと、
前記前部ガラス・パネル及び前記背部ガラス・パネルの周辺部の周りに取り付けられ、且つ、前記前部ガラス・パネルと前記背部ガラス・パネルとの間で挟まれるスペーサ要素であって、前記前部ガラス・パネルと前記スペーサ要素との間及び前記背部ガラス・パネルと前記スペーサ要素との間でガス・シールを提供する前記スペーサ要素と、
前記前部ガラス・パネルと前記背部ガラス・パネルとの間に置かれるＬＣＤパネルと、
を備えるシールされた透過型のＬＣＤアセンブリ。
[第１６態様]
第１５態様に記載のシールされた透過型のＬＣＤアセンブリであって、
前記ＬＣＤパネルと前記背部ガラス・パネルとの間に位置する光ガイドを、
更に備えるシールされた透過型のＬＣＤアセンブリ。
[第１７態様]
第１６態様に記載のシールされた透過型のＬＣＤアセンブリであって、
前記光ガイドは、前部ブラケットと背部ブラケットとの間で保持される、シールされた透過型のＬＣＤアセンブリ。
[第１８態様]
第１６態様に記載のシールされた透過型のＬＣＤアセンブリであって、
前記光ガイドは、垂直方向に移動可能であるが、意図されたビューアに向かう又はビューアから離れる移動は制限されている、シールされた透過型のＬＣＤアセンブリ。
[第１９態様]
第１６態様に記載のシールされた透過型のＬＣＤアセンブリであって、
前記光ガイドは、２方向光ガイドである、シールされた透過型のＬＣＤアセンブリ。
[第２０態様]
第１５態様に記載のシールされた透過型のＬＣＤアセンブリであって、
前記スペーサ要素は、乾燥剤と、圧力に敏感なアクリル系接着剤と、を有する、柔軟性の泡状の物質である、シールされた透過型のＬＣＤアセンブリ。
[第２１態様]
シールされた透過型のＬＣＤ（液晶ディスプレイ: liquid crystal display）アセンブリであって、
前部ガラス・パネルと、
背部ガラス・パネルと、
前記前部ガラス・パネルと前記背部ガラス・パネルとの間に置かれるＬＣＤと、
前記ＬＣＤを取り囲み、且つ、前記前部ガラス・パネルと前記背部ガラス・パネルとの間で挟まれるスペーサ要素と、
を備えるシールされた透過型のＬＣＤアセンブリ。
[第２２態様]
第２１態様に記載のシールされた透過型のＬＣＤアセンブリであって、
前記スペーサ要素は、前記前部ガラス・パネル及び前記背部ガラス・パネルと接着されている、シールされた透過型のＬＣＤアセンブリ。
[第２３態様]
第２１態様に記載のシールされた透過型のＬＣＤアセンブリであって、
前記スペーサ要素は、前記前部ガラス・パネルと前記スペーサ要素との間及び前記背部ガラス・パネルと前記スペーサ要素との間でガス・シールを形成する、シールされた透過型のＬＣＤアセンブリ。
[第２４態様]
第２１態様に記載のシールされた透過型のＬＣＤアセンブリであって、
前記スペーサ要素は、乾燥剤と、圧力に敏感なアクリル系接着剤と、を有する、柔軟性の泡状の物質である、シールされた透過型のＬＣＤアセンブリ。
[第２５態様]
第２３態様に記載のシールされた透過型のＬＣＤアセンブリであって、
前記ガス・シールは、該アセンブリの外部からのガスの前記ＬＣＤへの接触を防止する、シールされた透過型のＬＣＤアセンブリ。
[第２６態様]
第２１態様に記載のシールされた透過型のＬＣＤアセンブリであって、
２方向光ガイドを、
更に備えるシールされた透過型のＬＣＤアセンブリ。
[第２７態様]
シールされた透過型のＬＣＤ（液晶ディスプレイ: liquid crystal display）アセンブリであって、
前部ガラス・パネルと、
背部ガラス・パネルと、
前記前部ガラス・パネル及び前記背部ガラス・パネルの周辺部の周りに取り付けられ、且つ、前記前部ガラス・パネルと前記背部ガラス・パネルとの間で挟まれるスペーサ要素であって、ガス・シールされた空間を規定する前記スペーサ要素と、
前記空間内に置かれるＬＣＤパネルと、
を備えるシールされた透過型のＬＣＤアセンブリ。
[第２８態様]
第２７態様に記載のシールされた透過型のＬＣＤアセンブリであって、
前記空間を実質的に満たす不活性ガスを、
更に備えるシールされた透過型のＬＣＤアセンブリ。
[第２９態様]
第２７態様に記載のシールされた透過型のＬＣＤアセンブリであって、
前記スペーサ要素は、乾燥剤と、圧力に敏感なアクリル系接着剤と、を有する、柔軟性の泡状の物質である、シールされた透過型のＬＣＤアセンブリ。
[第３０態様]
第２７態様に記載のシールされた透過型のＬＣＤアセンブリであって、
前記背部ガラスと前記ＬＣＤパネルとの間に置かれた２方向光ガイドを、
更に備えるシールされた透過型のＬＣＤアセンブリ。
[第３１態様]
第３０態様に記載のシールされた透過型のＬＣＤアセンブリであって、
前記光ガイドの端に沿って配置された複数のＬＥＤを、
更に備えるシールされた透過型のＬＣＤアセンブリ。
[第３２態様]
透過型のＬＣＤ（液晶ディスプレイ: liquid crystal display）アセンブリであって、
ＬＣＤパネルと、
前記ＬＣＤパネルの後方に置かれ、且つ、前部の表面及び背部の表面を有する光ガイドと、
前記光ガイドの前記前部の表面と接触する前部ブラケットと、
前記光ガイドの前記背部の表面と接触する背部ブラケットと、
を備える透過型のＬＣＤアセンブリ。
[第３３態様]
第３２態様に記載の透過型のＬＣＤアセンブリであって、
前記ＬＣＤパネルは、前記前部ブラケットの前方である、透過型のＬＣＤアセンブリ。
[第３４態様]
第３２態様に記載の透過型のＬＣＤアセンブリであって、
前記前部ブラケットは、前記光ガイドの前記前部の表面とだけ接触し、前記背部ブラケットは、前記光ガイドの前記背部の表面とだけ接触する、透過型のＬＣＤアセンブリ。
[第３５態様]
第３２態様に記載の透過型のＬＣＤアセンブリであって、
前記光ガイドの周辺部に光を向けるように配置された複数のＬＥＤを、
更に備える透過型のＬＣＤアセンブリ。
[第３６態様]
第３５態様に記載の透過型のＬＣＤアセンブリであって、
前記光ガイドは、前記ＬＥＤからの光が前記光ガイドの前記前部の表面及び前記背部の表面から放出されるように、構成される、透過型のＬＣＤアセンブリ。
[第３７態様]
第３５態様に記載の透過型のＬＣＤアセンブリであって、
前記光ガイドは、前記光ガイドの前記背部の表面から出る光量は、前記光ガイドの前記前部の表面から出る光量の少なくとも２０［％］である、透過型のＬＣＤアセンブリ。
[第３８態様]
第３２態様に記載の透過型のＬＣＤアセンブリであって、
前記光ガイドは、意図されたビューアに向かう又はビューアから離れる移動が制限されている、透過型のＬＣＤアセンブリ。
[第３９態様]
第３２態様に記載の透過型のＬＣＤアセンブリであって、
前記光ガイドは、垂直方向に自由に移動可能である、透過型のＬＣＤアセンブリ。
[第４０態様]
第３２態様に記載の透過型のＬＣＤアセンブリであって、
前記前部ブラケットは、前記光ガイドの前記前部の表面と実質的に平行であり、且つ接触する、透過型のＬＣＤアセンブリ。
[第４１態様]
透過型のＬＣＤ（液晶ディスプレイ: liquid crystal display）アセンブリであって、
ＬＣＤパネルと、
前記ＬＣＤパネルの後方に置かれ、且つ、前記ＬＣＤパネルと実質的に平行である光ガイドと、
を備え、
前記光ガイドは、前記ＬＣＤパネルと平行に移動可能であるが、前記ＬＣＤパネルに向かう移動が制限される、透過型のＬＣＤアセンブリ。
[第４２態様]
第４１態様に記載の透過型のＬＣＤアセンブリであって、
前部の表面を有する前部ブラケットであって、前記ＬＣＤパネルに向かう前記光ガイドの移動を制限する前記前部ブラケットを、
更に備える透過型のＬＣＤアセンブリ。
[第４３態様]
第４２態様に記載の透過型のＬＣＤアセンブリであって、
前記ＬＣＤパネルは、前記前部ブラケットの前記前部の表面に取り付けられている、透過型のＬＣＤアセンブリ。
[第４４態様]
第４２態様に記載の透過型のＬＣＤアセンブリであって、
前記ＬＣＤパネルから離れる前記光ガイドの移動を制限する背部ブラケットを、
更に備える透過型のＬＣＤアセンブリ。
[第４５態様]
透過型のＬＣＤ（液晶ディスプレイ: liquid crystal display）アセンブリであって、
ＬＣＤパネルと、
前記ＬＣＤパネルの後方に置かれ、且つ、前部の表面及び背部の表面を有する光ガイドと、
前記光ガイドの前記前部の表面と接触する前部ブラケットと、
前記光ガイドの前記背部の表面と接触する背部ブラケットと、
前記光ガイドの周辺部に光を向けるように配置される、複数のＬＥＤと、
を備える透過型のＬＣＤアセンブリ。
[第４６態様]
第４５態様に記載の透過型のＬＣＤアセンブリであって、
前記前部ブラケットは、前記ＬＣＤパネルに向かう前記光ガイドの移動を抑制するだけであり、
前記背部ブラケットは、前記ＬＣＤパネルから離れる前記光ガイドの移動を抑制するだけであり、
前記前部ブラケット及び前記背部ブラケットは、前記ＬＣＤパネルと平行な前記光ガイドの移動を許可する、透過型のＬＣＤアセンブリ。
[第４７態様]
ディスプレイ・ケースの使用を追跡し、分析するシステムであって、
ドアを有するディスプレイ・ケースと、
前記ドア内に収容される透過型のＬＣＤ（液晶ディスプレイ: liquid crystal display）と、
前記ドアが開いたか否かを検出するように置かれたセンサと、
前記ＬＣＤ及び前記センサと電気的に通信可能である、ＣＰＵと、
を備え、
ＣＰＵは、前記ドアのセンサからのデータを記憶する、システム。
[第４８態様]
第４７態様に記載のシステムであって、
前記ＣＰＵは、前記透過型のＬＣＤ上に表示されたコンテンツを表すデータを記憶する、システム。
[第４９態様]
第４７態様に記載のシステムであって、
前記ＣＰＵは、ネットワークと電気的に通信可能であって、ドア・センサ・データを遠隔地に送信する、システム。
[第５０態様]
第４７態様に記載のシステムであって、
前記ＣＰＵと電気的に通信可能な温度センサを、
更に備えるシステム。
[第５１態様]
第４７態様に記載のシステムであって、
前部ガラスと、
背部ガラスと、
を更に備え、
前記透過型のＬＣＤは、前記前部ガラスと前記背部ガラスとの間に挟まれている、システム。
[第５２態様]
第５１態様に記載の透過型のシステムであって、
前記背部ガラスに固定され、且つ前記ＬＣＤの上に延びる上部プレートと、
前記背部ガラスに固定され、且つ前記ＬＣＤの下に延びる下部プレートと、
を更に備える、システム。
[第５３態様]
第５２態様に記載のシステムであって、
前記ＣＰＵは、前記下部プレートに固定される、システム。
[第５４態様]
第４７態様に記載のシステムであって、
前記ディスプレイ・ケースは、第１及び第２の空間を更に有し、
前記第１の空間は、複数の消費者製品を備えるように構成され、前記第２の空間は、無線の送信機／受信機を備えるに構成される、システム。
[第５５態様]
第５４態様に記載のシステムであって、
前記第１の空間は、冷蔵され、前記第２の空間は、冷蔵されない、システム。
[第５６態様]
ディスプレイ・ケースの使用を追跡し、分析するシステムであって、
ドアを有するディスプレイ・ケースに固定される透過型のＬＣＤ（液晶ディスプレイ: liquid crystal display）と、
前記ドア内に置かれ、且つ、前記透過型のＬＣＤと電気的に通信可能であるＣＰＵと、
前記ドア内に置かれ、且つ、前記ＣＰＵと電気的に通信可能である第１の無線送信機／受信機と、
前記第１の無線送信機／受信機及びネットワークと電気的に通信可能である第２の無線送信機／受信機と、
前記ＣＰＵと通信可能であり、且つ、前記ドアが開いたことを検出するように構成されたセンサと、
を備えるシステム。
[第５７態様]
第５６態様に記載のシステムであって、
前記ＣＰＵは、前記センサが前記ドアの開きを検出する時に前記透過型のＬＣＤ上に表示されるコンテンツに関するデータを記憶する、システム。
[第５８態様]
第５６態様に記載のシステムであって、
前記第２の無線送信機／受信機と電気的に通信可能である温度センサを、
更に備えるシステム。
[第５９態様]
第５６態様に記載のシステムであって、
前部ガラスと、
背部ガラスと、
を更に備え、
前記透過型のＬＣＤは、前記前部ガラスと前記背部ガラスとの間に置かれる、システム。
[第６０態様]
第５９態様に記載のシステムであって、
前記背部ガラスに固定され、且つ、前記背部ガラスと熱伝導するプレートを、
更に備えるシステム。
[第６１態様]
第６０態様に記載のシステムであって、
前記ＣＰＵは、前記プレートに置かれる、システム。
[第６２態様]
ディスプレイ・ケースの使用を追跡し、分析するシステムであって、
ディスプレイ・キャビネットに搭載される透過型のＬＣＤ（液晶ディスプレイ: liquid crystal display）と、
前記透過型のＬＣＤと電気的に通信可能であり、且つ、前記ＬＣＤ上に表示されているコンテンツに関するデータを記憶するＣＰＵと、
前記ＣＰＵと通信可能であり、且つ、前記キャビネットが開いたことを検出するように構成されたセンサと、
を備え、
前記ＣＰＵは、前記ＬＣＤ上に表示されているコンテンツに関するデータと、そのコンテンツが表示されている間に前記ドアが開いたかどうかを収取する、システム。
[第６３態様]
第６２態様に記載のシステムであって、
前部ガラス及び背部ガラスを有するドアを、
更に備え、
前記透過型のＬＣＤは、前記前部ガラスと前記背部ガラスとの間に置かれる、システム。
[0007] 本発明の前述の特徴及び利点、並びに他の特徴及び利点は、添付の図面で図示される特定の実施形態のより詳細な説明によって、明らかになるであろう。
【図面の簡単な説明】
【０００８】
（図面の簡単な説明）
[0008] 典型的な実施形態をより良く理解するために、以下の詳細な説明及び添付の図面を参酌することができ、添付図面においては、同一の部品には同一の符号が付されている。
【０００９】
【図１】[0009] 典型的な、シールされた透過型のＬＣＤアセンブリの斜視図である。
【図２】[0010] ドアが開いた状態の、図１のディスプレイ・ケースの斜視図である。
【図３】[0011] 図１及び図２のシールされた透過型のＬＣＤアセンブリの斜視図である。
【図４】[0012] 切断線Ａ−Ａ及び切断線Ｂ−Ｂを示す、シールされた透過型のＬＣＤアセンブリの正面平面図である。
【図５】[0013] 細部（Detail）Ａ及び細部（Detail）Ｂを示し、図４の切断線Ａ−Ａでの断面図である。
【図６】[0014] 細部（Detail）Ｃを示し、図４の切断線Ｂ−Ｂでの断面図である。
【図７】[0015] 図５の細部（Detail）Ａでの詳細な断面図である。
【図８】[0016] 図５の細部（Detail）Ｂでの詳細な断面図である。
【図９】[0017] 図６の細部（Detail）Ｃでの詳細な断面図である。
【図１０】[0018] 部分的にアセンブリされた、シールされた透過型のＬＣＤアセンブリの斜視図である。
【図１１】[0019] 下部熱プレートの典型的な実施形態の、簡略化された部分図である。
【図１２】[0020] 上部熱プレートの典型的な実施形態の、簡略化された部分図である。
【図１３】[0021] 電子デバイス用の空間と細部（Detail）Ａの位置とを示す、図１の冷蔵ディスプレイ・ケースの斜視図である。
【図１４】[0022] 図３の細部（Detail）Ａの正面図である。
【図１５】[0023] 透過型のＬＣＤ上に映像を示すディスプレイ・ケースの斜視図である。
【図１６】[0024] ディスプレイ・ケース内のハードウェア及びソフトウェアの動作を示す論理フロー図である。
【図１７】[0025] 上述のハードウェア及びソフトウェアによって収集されたデータを表すグラフ図である。
【図１８】[0026] ディスプレイ・ケースの使用を追跡し、分析するための典型的な実施形態を表す概要電気図である。
【図１９】[0027] オペレーション・センタ及びそこで用いられるコンピュータ・デバイスによって実行される論理フロー図である。
【発明を実施するための形態】
【００１０】
（詳細な説明）
[0028] 本発明の典型的な実施形態が示される添付の図面を参酌することによって、以下に、本発明をより十分に説明する。しかしながら、本発明は、多くの異なる態様で実施することができ、従って、本明細書での典型的な実施形態に限定されることを意図されていない。むしろ、これらの実施形態が提供されることで、本開示は、完全に完成し、本発明の範囲を完全に当業者に理解させることができる。図面において、層及び範囲のサイズ、相対的サイズは、明確化のため、強調されている場合がある。
【００１１】
[0029] 本明細書における用語は、特定の実施形態を説明する目的で使用されており、本発明を限定する意図を持っていない。本明細書において使用されている、単数形は、明らかにその文脈から異なることが明示されていない限り、複数形をも含む意図を持っている。また、用語「備える」及び／又は「備えている」は、本明細書における使用において、記載された特徴、整数、ステップ、動作、構成及び／又は構成要素の存在を明示していることを理解することができるが、１又は複数の他の特徴、整数、ステップ、動作、構成、構成要素、及び／又はそれらの群の存在を排除するものではない。
【００１２】
[0030] 本発明の実施形態は、本発明の理想的な実施形態（及び中間構造）が図示された概要である図面を参酌しながら、以下に説明する。従って、結果として図示された形状における変更、例えば、製造上の技法及び／又は許容誤差などは、予期されている。従って、本発明の実施形態は、本出願で図示された領域の特定の形状に限定されることを意図しておらず、例えば製造からの結果物の形状には偏差を含むものである。
【００１３】
[0031] 他に定義しない限り、本明細書で使用される用語（技術用語及び化学用語を含む）は、本発明が属する技術分野の当業者によって通常理解される意味を持つ。例えば一般的に用いられる辞書で定義された用語は、関連技術の文脈における意味と一致する意味を持つように理解されるべきであり、特に本明細書で定義されない限り理想的な意味又は過度に正式な意味で解釈されるものではない。
【００１４】
[0032] 図１は、典型的な、シールされた透過型のＬＣＤアセンブリ200の斜視図である。一般的には、ディスプレイ・ケースは、ハウジング105を含み、そこにはドア・フレーム・アセンブリ100が固定されている。この実施形態において、空間110は、ドア・フレーム・アセンブリ100の下に設けられ、そこには、透過型のＬＣＤアセンブリ200を作動させるための様々な電子デバイス111が配置される。電子デバイス111は、以下のうちの幾つか又はすべてを含むことができる：タイミング・コントロール（TCON: timing and control）・ボード、ビデオ・プレーヤ、ハード・ドライブ／ストレージ、マイクロプロセッサ／ＣＰＵ、無線送信機／受信機、携帯電話データ送信機／受信機、及びインターネット接続部。電子デバイス111の少なくとも幾つかは、透過型のＬＣＤ230と電気的に接続されている。
【００１５】
[0033] 図２は、ドアが開いた状態の、図１のディスプレイ・ケースの斜視図である。
【００１６】
[0034] 図３は、図１及び図２のシールされた透過型のＬＣＤアッセンブリ200の斜視図である。そのアセンブリは、一般に、スペーサ300を含み、スペーサ300は、前部ガラス225及び背部ガラス205の間で挟み込まれている。これらの構成要素は、好ましくは、シールされた封入物を満たす不活性ガスと一緒にシールされている。すべての実施形態には必要ではないが、アルゴン・ガスは、典型的な実施形態において好ましいことが分かっている。これらの構成要素をシールするためには、高温で溶けるポリウレタンを用いることが好ましい。好ましくは、スペーサ300は、オハイオ州、ケンブリッジのQuanex社のSuper Spacer（登録商標）（スーパー・スペーサ）の標準品である。www.quanex.com。典型的な実施形態において、スペーサ300は、乾燥剤を含み、且つ、スペーサの前部の端及び背部の端の上での圧力に敏感なアクリル系接着剤を有する、柔軟性の泡状の物質であってもよく、これを用いて、前部及び背部のガラスを結合することができる。
【００１７】
[0035] 図４は、切断線Ａ−Ａ及び切断線Ｂ−Ｂを示す、シールされた透過型のＬＣＤアッセンブリの正面平面図である。図５は、細部（Detail）Ａ及び細部（Detail）Ｂを示し、図４の切断線Ａ−Ａでの断面図である。図６は、細部（Detail）Ｃを示し、図４の切断線Ｂ−Ｂでの断面図である。
【００１８】
[0036] 図７は、図５の細部（Detail）Ａでの詳細な断面図である。熱プレート216は、好ましくは、背部ガラス205と接着されている。典型的な実施形態において、熱プレート216の頂部は、好ましくは、接着剤転写テープを介して接着される。この目的での典型的な接着剤転写テープは、ミネソタ州、セントポールの３ＭＴＭ社から入手可能な468 MPである。www.3M.com/converter。複数のＬＥＤ276を含むプリント回路基板（PCB: printed circuit board）246は、好ましくは、頂部熱プレート216に取り付けられ、また、好ましくは、頂部熱プレート216と熱伝導もする。このように、ＬＥＤ276で発生した熱は、ＰＣＢ246及び頂部熱プレート216に伝わり、最終的には、背部ガラス205に移動し、そこでは、熱は、強制又は自然の対流を介して消散される。
【００１９】
[0037] ＬＥＤ276は、光ガイド220の端に隣接して配置され、光ガイド220は、背部ブラケット211と前部ブラケット236との間で挟み込まれている。光ガイド220は、一般に、アセンブリの前部又は背部に向かう移動が制限されるだけであり、アセンブリの頂部又は側部に向かう移動は制限されない。言い換えれば、光ガイド220は、固定されているが、Ｘ−Ｙ方向（ＬＣＤを見る時に水平方向及び垂直方向）に熱膨張／収縮することができる一方、Ｚ方向（ＬＣＤを見る時にアセンブリの内部方向／外部方向）には固定されている。光ガイド220は、制限されているので、前部ガラス又は背部ガラスに向かう移動ができないが、そうでなければ、背部ブラケット211と前部ブラケット236との間で動ける状態にある、とも言える。典型的な実施形態において、光ガイド220は、エボニック・インダストリー社から入手可能なAcrylite（登録商標）（アクリライト）ＬＥＤ  Endlighten（エンドライト）製品であってもよい。www.acrylite-shop.com。
【００２０】
[0038] 好ましくは、光ガイド220は、シート全体にわたって均一に分散された、微視的な超小型拡散微粒子を含んでもよい。また、好ましくは、ＬＥＤ276及び275から放出される光は、光ガイド220の前部及び背部の両方の表面から光を出すことができる（このように、光ガイド220は、「２方向光ガイド」と呼ぶことができる）。典型的な実施形態において、光は、光ガイド220の背部から出ることができ、ディスプレイ・ケース内の製品を照らすことができる。従って、光ガイド220の背部表面から出る光量は、光ガイド220の前部表面から出る光量の少なくとも２０［％］であることが好ましい。
【００２１】
[0039] 透過型のＬＣＤ230は、好ましくは、接着剤241の層を介して前部ブラケット236の前部表面に取り付けられ、接着剤241は、好ましくは、ＬＣＤ230の周辺部の周りに付けられる。典型的な実施形態において、接着剤241は、ＶＨＢテープであってもよく、好ましくは、ミネソタ州、セントポールの３ＭＴＭ社から入手可能な５０５２ＶＨＢテープである。www.3M.com/converter。
【００２２】
[0040] 図８は、図５の細部（Detail）Ｂでの詳細な断面図である。底部熱プレート215は、好ましくは、背部ガラス205に接着されている。典型的な実施形態において、底部熱プレート215は、接着剤転写テープを介して、背部ガラス205に接着される。この目的での典型的な接着剤転写テープは、ミネソタ州、セントポールの３ＭＴＭ社から入手可能な468 MPである。www.3M.com/converter。複数のＬＥＤ275を含むプリント回路基板（PCB: printed circuit board）245は、好ましくは、底部熱プレート215に取り付けられ、また、好ましくは、底部熱プレート215と熱伝導もする。このように、ＬＥＤ275で発生した熱は、ＰＣＢ245及び底部熱プレート215に伝わり、最終的には、背部ガラス205に移動し、そこでは、熱は、強制又は自然対流を介して消散される。
【００２３】
[0041] ＬＥＤ275は、光ガイド220の端に隣接して配置され、光ガイド220は、背部ブラケット211と前部ブラケット236との間で挟み込まれている。上述した通り、光ガイド220は、アセンブリの前部又は背部に向かう移動が制限されるだけであり、アセンブリの頂部又は側部に向かう移動は制限されない。
【００２４】
[0042] 図９は、図６の細部（Detail）Ｃでの詳細な断面図である。
【００２５】
[0043] 図１０は、部分的にアセンブリされた、シールされた透過型のＬＣＤアセンブリの斜視図である。図中、シールされたアセンブリ200の内部を示すために、前部ガラス225は、省略されている。この図は、背部ガラス205を示すとともに、背部ガラス205の周辺部の周りに取り付けられたスペーサ300を示している。様々な電子デバイス400は、第２の無線送信機／受信機455と一緒に、底部プレート215に取り付けられた状態で示され、且つ、背部ガラス205と前部ガラス225（図１０で図示せず）との間でシールされる。また、背部ブラケット211も示されており、背部ブラケット211は、背部ガラス205に取り付けられてもよい。
【００２６】
[0044] 図１１は、下部熱プレート215の典型的な実施形態の、簡略化された部分図である。好ましい実施形態において、下部熱プレート215は、できる限り水平方向に延びて、好ましくは、ＬＣＤ230と同じ水平方向の幅まで延びて、また、用途に応じて、水平方向の幅は、４［インチ］〜１４［インチ］（１０．１４［ｃｍ］〜３５．５６［ｃｍ］）まで延びしてもよい。本実施形態において、電子デバイス400は、熱プレート215にマウントされ、また、以下のものに限定されるものではないが：電源モジュール、無線又は衛星の受信機／送信機、ビデオ・プレーヤ、ハード・ドライブ、マイクロプロセッサ、及びプリント回路基板を含むことができる。下部熱プレート215に取り付けられ図示されているが、電子デバイス400は、上部熱プレート216にも取り付けられてもよい。好ましくは、電子デバイス400は、熱プレート215/216と熱伝導もし、これにより、電子デバイス400で発生した熱は、熱プレート215/216に伝わり、最終的には、背部ガラス205に移動し、そこでは、熱は、強制又は自然の対流を介して消散される。
【００２７】
[0045] 第２の受信機／送信機455も、好ましくは、下部マウントプレート215の上に位置し、また、空間110内に示された無線受信機／送信機450と電気的に通信することができる。複数の異なる信号は、２つの無線デバイス450/455間で伝送することができ、信号は、以下のものに限定されるものではないが：画像／映像データ、ＬＣＤ上に表示されたコンテンツの識別データ、視覚的アラート、画像の検査／テストのパターン、ディスプレイ・ケースの温度、及びＬＣＤ200からのフィードバック・データ（例えば、明るさ、色の彩度、色温度、ガンマ、及びコントラスト比）を含んでいる。
【００２８】
[0046] 図１２は、上部熱プレートの典型的な実施形態の、簡略化された部分図である。再び、好ましい実施形態において、上部熱プレート216は、できる限り水平方向に延びて、好ましくは、ＬＣＤ230と同じ水平方向の幅まで延びている。また、上部熱プレート216の水平方向の幅は、用途に応じて、４［インチ］〜１４［インチ］（１０．１４［ｃｍ］〜３５．５６［ｃｍ］）まで延びしてもよい。必須ではないが、下部熱プレート215及び上部熱プレート216は、同じ表面積の１５［％］以内であることが好ましい。言い換えれば、プレート215/216は、実質的に同じ表面積を有することが好ましい。しかしながら、必須ではないが、幾つかの実施形態では、電子デバイス400を含むプレートは、より大きい表面積を必要としてもよく、即ち、底部プレート215と比較して大きい表面積を頂部プレート216が有してもよい。好ましくは、熱プレートは、両方とも、金属製であり、更に好ましくは、アルミニウムであるが、良好な熱伝導率を有する任意の金属で構成することができる。
【００２９】
[0047] 図１３は、電子デバイス用の空間と細部（Detail）Ａの位置とを示す、図１の冷蔵ディスプレイ・ケースの斜視図である。図中、ＣＰＵ455と電気的に通信可能である温度センサ620も示されている。ＣＰＵなる用語は、本明細書において、好ましくは、マイクロプロセッサを含み、マイクロプロセッサでＲＡＭと及びハード・ドライブ電子ストレージとともに、ソフトウェア論理を実行することができる。図１４は、図３の細部（Detail）Ａの正面図である。ここでは、無線送信機／受信機450が空間110内に、ＣＰＵ455とともに、示されている。また、ドア・センサ600が図示されて、ドアが現在開いているか否かを決定できるように、配置されている。ドア・センサ600は、好ましくは、ＣＰＵ455と電気的に通信可能であり、インターネット又は衛星ネットワークの何れかとの電気接続部を含んでいる。
【００３０】
[0048] 無線デバイス450/455は、任意の形式の無線ネットワーク技術で作動することができ、その無線ネットワーク技術は、以下のものに限定されるものではないが：ＷＰＡＮ、ＷＬＡＮ、無線メッシュ・ネットワーク、又はＧＡＮを含むことができる。ＷＬＡＮネットワークのアーキテクチャに関しては、特に、局、基本サービス・セット、拡張サービス・セット、及び配信システムを含むことができるが、これに限定されるものではない。更に、無線ＬＡＮの型に関しては、ペア・ツー・ペア、ブリッジ及び無線配信システムを含むことができるが、これに限定されるものではない。本明細書における典型的な実施形態は、任意の形式の一般的な暗号化の手法を利用することができる。
【００３１】
[0049] 本明細書で説明される無線通信及び透過型のＬＣＤの実施形態は、任意の数のディスプレイ・ケースの設計に使用することができ、これらには、温度制御の有無は関係なく、また、ドアが空いてもよく、又はガラスが静止したままであってもよい。透過型のＬＣＤが本明細書に示されているが、無線システムは、従来のバックライトＬＣＤにも利用することができる。
【００３２】
[0050] 図１５は、透過型のＬＣＤ200上に映像を示すディスプレイ・ケースの斜視図である。
【００３３】
[0051] 図１６は、具体的には、ＣＰＵ455及びドア・センサ600である、ディスプレイ・ケース内のハードウェア及びソフトウェアの動作を示す論理フロー図である。この論理を実行することにより、日／時刻とともに、表示されている特定の映像／画像の識別子は、記憶することができる。
【００３４】
[0052] 図１７は、上述のハードウェア及びソフトウェアによって収集されたデータを表すグラフ図である。データが収集されると、１日を通したトラフィックの低い及び高いが分析される。このトラフィック・データには、多くの実用的な使い方がある。例えば、１時間当たり１００回超の頻度でドアが開けられる時に、好ましくは、ディスプレイ・ケースの温度は、華氏３２［ｄｅｇｒｅｅ］（摂氏０［ｄｅｇｒｅｅ］）に保たれることが、１時間当たり５０回未満の頻度でドアが開けられる時に、ディスプレイ・ケースの温度は、華氏３５［ｄｅｇｒｅｅ］（摂氏１．６７［ｄｅｇｒｅｅ］）に保たれる。このように、ディスプレイ・ケースの使用頻度及び温度は、エネルギー・コストを節約するために、収集することができる。例えば、０時−６時、１８時、２３時−２３時は、中身が痛むリスクなしに、ディスプレイ・ケースの温度を華氏３５［ｄｅｇｒｅｅ］（摂氏１．６７［ｄｅｇｒｅｅ］）まで上昇させることができることを理解することができる。これにより、必要とされるエネルギーを少なくすることができ、何千ものディスプレイ・ケースに使用する時にはコストを大幅に節約することができる。
【００３５】
[0053] 図１８は、ディスプレイ・ケースの使用を追跡し、分析するための典型的な実施形態を表す概要電気図である。本実施形態では、複数のディスプレイ・ケース５０がインターネット／携帯電話のネットワーク70で通信可能である。また、本実施形態では、オペレーション・センタは、インターネット／携帯電話のネットワーク70を介して複数のディスプレイ・ケースと通信可能な少なくとも１つのＣＰＵ40を含んでいる。一般的には、インターネット／携帯電話のネットワーク70がインターネットだけである時に、ＣＰＵ455及びＣＰＵ40は、各々、ある型のモデムを有するべきである。また、一般的には、インターネット／携帯電話のネットワーク70が携帯電話網だけである時に、ＣＰＵ455及びＣＰＵ40は、各々、ある型の携帯電話送信機／受信機、好ましくは、４Ｇ携帯電話送信機／受信機を有するべきである。
【００３６】
[0054] 図１９は、オペレーション・センタ及びそこで用いられるコンピュータ・デバイスによって実行される論理フロー図である。最初に、１日毎に、１時間当たりのドアが開く回数は、最近Ｘ日（ここで、Ｘは、任意の日数である）で平均化されて、１時間平均（ＡＶＧ）を取得する。その後、任意のサンプルの日の１時間当たりのドアが開く回数は、その時間の対応するＡＶＧと比較することができる。次に、論理により、サンプルの日の任意の時間のドアが開く回数が、１時間当たりの平均よりも、Ｙ［％］だけ又はそれよりも超えているか否かを判定することができる（ここで、Ｙは、データに依存して任意の重要なパーセントであるが、一般的には、１５［％］と等しいか又はそれよりも大きい数字である）。超える場合、その時間における、表示されている映像／画像の識別子は、好結果の広告として記憶される。このように、冷蔵庫内で最も多くのトラフィックを生成すると思われる広告は、追跡され又は記録されて、これにより、これらの広告は、より多くの頻度で表示され、又は、将来の広告は、過去に成功した広告に基づき設計されることができる。従って、コンテンツ・プロバイダは、広告での前例のない量の制御を行うことができ、特に、広告の有効性を提供することができる。
【００３７】
[0055] 上述の実施形態では、１時間当たりのドアが開く回数をほとんど取り扱っているが、これは、任意の時間間隔、或いは、分、時、日、又はこれらの任意の組み合わせで、実行することができる。また、本システムを使用して、各映像セグメントにおける開く回数を決定し、その値を平均化し（任意的である）、１秒／１分当たりの開く回数を得るために映像の長さに基づき平均値を正規化し、且つ／又は、最も高い開く回数となった映像を決定することができる。
【００３８】
[0056] 本明細書で説明される冷却システムは、任意の数のディスプレイ・ケースの設計と一緒に使用することができ、これらには、温度制御の有無は関係なく、また、ドアが空いてもよく、又はガラスが静止したままであってもよい。透過型のＬＣＤが本明細書に示されているが、冷却システムは、従来のバックライトＬＣＤにも利用することができる。
【００３９】
[0057] 本発明の好ましい実施形態を示し、説明することによって、当該技術分野の当業者は、説明した発明に係る多くの変形及び修正が特許請求の範囲に記載の発明の範囲内に含まれることを理解することができる。加えて、上述の要素の多くは、特許請求の範囲に記載の発明の精神内で同じ結果を生む異なる要素に置換することができる。従って、本発明は、特許請求の範囲によって明示された時だけ、その範囲で限定されるものである。
【図１】
2019066874.tif 000003
【図２】
2019066874.tif 000004
【図３】
2019066874.tif 000005
【図４】
2019066874.tif 000006
【図５】
2019066874.tif 000007
【図６】
2019066874.tif 000008
【図７】
2019066874.tif 000009
【図８】
2019066874.tif 000010
【図９】
2019066874.tif 000011
【図１０】
2019066874.tif 000012
【図１１】
2019066874.tif 000013
【図１２】
2019066874.tif 000014
【図１３】
2019066874.tif 000015
【図１４】
2019066874.tif 000016
【図１５】
2019066874.tif 000017
【図１６】
2019066874.tif 000018
【図１７】
2019066874.tif 000019
【図１８】
2019066874.tif 000020
【図１９】
2019066874.tif 000021